(57)【特許請求の範囲】
【請求項１】
被検体を挿入可能な撮影空間にほぼ一様な静磁場を発生させる主磁石と、該静磁場の不均一性を補正するための磁場を発生する複数のシムコイルと、前記複数のシムコイルにシム電流を供給するシム電源とを具備する磁気共鳴診断装置において、
撮影空間内の第１の領域の磁場分布を測定する手段と、
第１の領域の磁場分布から第１のシム電流セットを算出し、第１のシム電流セットをシム電源に設定する手段と、
第１のシム電流セットを用いて撮影領域内の前記第１の領域に含まれ、前記第１の領域より小さい局所領域を含む第２の領域の磁場分布を測定する手段と、
前記局所領域の磁場分布のみを使って第２のシム電流セットを算出し、第１のシム電流セットと第２のシム電流セットから第３のシム電流セットを算出し、第３のシム電流セットをシム電源に設定する手段と、
を具備することを特徴とする磁気共鳴診断装置。
【請求項２】
被検体を挿入可能な撮影空間にほぼ一様な静磁場を発生させる主磁石と、該静磁場の不均一性を補正するための磁場を発生する複数のシムコイルと、前記複数のシムコイルに電流を供給するシム電源とを具備する磁気共鳴診断装置において、
撮影空間内の第１の領域の磁場分布を測定する手段と、
第１の領域の磁場分布から第１のシム電流セットを算出し、第１のシム電流セットをシム電源に設定する手段と、
第１のシム電流セットを用いて撮影領域内の前記第１の領域に含まれる第２の領域の磁場分布を測定し、第２の領域の磁場分布を記憶する手段と、
前記第１の領域より小さい局所領域を指定する指定手段と、
前記指定手段により指定された局所領域が第２の領域に含まれているか否か判定する判定手段と、
前記判定手段が前記局所領域が第２の領域に含まれていると判定した場合、前記局所領域の磁場分布のみを使って第２のシム電流セットを算出し、第１のシム電流セットと第２のシム電流セットから第３のシム電流セットを算出し、第３のシム電流セットをシム電源に設定する手段と、
を具備することを特徴とする磁気共鳴診断装置。
【請求項３】
第１の領域の磁場分布の空間分解能が第２の領域の磁場分布の空間分解能より粗いことを特徴とする請求項１または請求項２に記載の磁気共鳴診断装置。
【請求項４】
第２のシム電流セットのチャネル数が第１のシム電流セットのチャネル数より少なく、
第３のシム電流セットのうち、第２のシム電流セットに対応するチャネルのシム電流は第２のシム電流セットの値と対応するチャネルの第１のシム電流との和で算出され、第３のシム電流セットの残りのチャネルのシム電流は対応するチャネルの第１のシム電流のみで決定されることを特徴とする請求項１乃至請求項３のいずれか一項に記載の磁気共鳴診断装置。
【請求項５】
第１のシム電流セットは１次から高次までの磁場分布補正のためのシム電流であり、第２のシム電流セットは１次の磁場分布補正のためのシム電流であることを特徴とする請求項１乃至請求項４のいずれか一項に記載の磁気共鳴診断装置。
【発明の詳細な説明】
【０００１】
【発明の属する技術分野】
本発明は磁気共鳴現象を利用して被検体（生体）のスライス画像等の形態情報やスペクトロスコピー等の機能情報を得る磁気共鳴診断装置に関し、特に、静磁場分布の不均一性に起因する磁気共鳴スペクトルの劣化を抑制し、かつ局所領域における磁気共鳴スペクトルを高速に計測できる磁気共鳴診断装置に関する。
【０００２】
【従来の技術】
磁気共鳴イメージング（ＭＲＩ）装置や磁気共鳴スペクトロスコピー（ＭＲＳ）装置において、静磁場の均一性はＭＲ画像やＭＲスペクトルの質や精度を大きく左右するため、非常に高い均一性が求められる。特に、１Ｈ（代謝物）−ＭＲＳ装置においては、化学シフトの範囲が狭いため、最大で０．１ｐｐｍ程度の磁場不均一性しか許容されていない。このため、磁気共鳴診断装置では、静磁場を発生する主磁石の他に、静磁場不均一性を相殺するための複数の補正コイル（シムコイルと呼ばれる）が設けられ、シムコイルに流す電流値を調整することにより静磁場の不均一性を補償することが行われている。
【０００３】
しかし、シムコイルを使用したとしても、被検体が生体など多成分からなり、不均一な分布・成分を有する場合には、被検体の全領域において上述したような静磁場の均一性を実現することは極めて難しい。何故ならば、人体の場合には、２次以上の高次成分の磁場不均一性が生じることが多いためである。
【０００４】
このため、関心のある局所領域においてのみ磁場均一性を高める方法が考えられている。具体例としては、特開平４−２２７２３２号公報に記載のスティミュレーテッド・エコー（ＳＴＥ）法のパルスシーケンス等によって、局所領域から磁気共鳴信号を発生させ、その信号の減衰の時定数が最も長くなるように１次のシム電流を決定する方法がある。磁場が不均一な程、信号の減衰が早いという事実に基づいている。
【０００５】
しかし、この方法にも欠点がある。それは、シム電流を逐次変化させて最適な電流値を算出するため、調整時間がかかるということである。さらに、別の局所領域のＭＲスペクトルを計測する場合は、再度同じ調整を最初から実施する必要がある。
【０００６】
一方、特開平４−２０８１３３号公報に記載のように、ＭＲ画像の位相情報から磁場不均一性を求め、求めた不均一性に応じて局所領域毎にシム電流を算出するという方法も考えられている。これは、局所領域を含む広い範囲にて１回の磁場計測を行い、局所での磁場分布からシム電流を算出するものである。算出方法としては、計測した静磁場不均一分布をシムコイルが発生することのできる磁場成分に展開することが行われ、この展開には直交関数展開が使われることが多い。この際、注意すべきことは展開の精度であり、展開の項数が増えるほどデータ点数を多くする（分解能を細かくするか、広い領域を計測する）必要がある。これは、ＭＲ画像を取得する段階で撮影時間の延長につながる。逆に、展開の項数を減らした場合には、撮影時間が短くなる代りに、前述した２次以上の高次成分の磁場不均一性によりスペクトルの線幅が広くなってしまい、Ｓ／Ｎが劣化するという欠点がある。
【０００７】
【発明が解決しようとする課題】
このように従来の磁気共鳴診断装置には、静磁場の不均一性分布を局所的に補償する磁場をシムコイルにより発生して、静磁場の均一性を局所的に高めるには、シム電流の調整時間がかかるという問題があった。
【０００８】
本発明の目的は、局所領域において静磁場の均一性を短時間、高精度に高め、高精度に磁気共鳴データを収集できる磁気共鳴診断装置を提供することにある。
【０００９】
【課題を解決するための手段】
上記した課題を解決し目的を達成するために、本発明は以下に示す手段を用いている。
【００１０】
（１）本発明の一態様による磁気共鳴診断装置は、被検体を挿入可能な撮影空間にほぼ一様な静磁場を発生させる主磁石と、該静磁場の不均一性を補正するための磁場を発生する複数のシムコイルと、前記複数のシムコイルにシム電流を供給するシム電源とを具備する磁気共鳴診断装置において、撮影空間内の第１の領域の磁場分布を測定する手段と、第１の領域の磁場分布から第１のシム電流セットを算出し、第１のシム電流セットをシム電源に設定する手段と、第１のシム電流セットを用いて撮影領域内の前記第１の領域に含まれ、前記第１の領域より小さい局所領域を含む第２の領域の磁場分布を測定する手段と、前記局所領域の磁場分布のみを使って第２のシム電流セットを算出し、第１のシム電流セットと第２のシム電流セットから第３のシム電流セットを算出し、第３のシム電流セットをシム電源に設定する手段とを具備することを特徴とするものである。
【００１１】
（２）本発明の他の態様による磁気共鳴診断装置は、被検体を挿入可能な撮影空間にほぼ一様な静磁場を発生させる主磁石と、該静磁場の不均一性を補正するための磁場を発生する複数のシムコイルと、前記複数のシムコイルに電流を供給するシム電源とを具備する磁気共鳴診断装置において、撮影空間内の第１の領域の磁場分布を測定する手段と、第１の領域の磁場分布から第１のシム電流セットを算出し、第１のシム電流セットをシム電源に設定する手段と、第１のシム電流セットを用いて撮影領域内の前記第１の領域に含まれる第２の領域の磁場分布を測定し、第２の領域の磁場分布を記憶する手段と、前記第１の領域より小さい局所領域を指定する指定手段と、前記指定手段により指定された局所領域が第２の領域に含まれているか否か判定する判定手段と、前記判定手段が前記局所領域が第２の領域に含まれていると判定した場合、前記局所領域の磁場分布のみを使って第２のシム電流セットを算出し、第１のシム電流セットと第２のシム電流セットから第３のシム電流セットを算出し、第３のシム電流セットをシム電源に設定する手段とを具備することを特徴とするものである。
【００１２】
（３）本発明の他の態様による磁気共鳴診断装置は、上記（１）または（２）に記載した磁気共鳴新断装置において、第１の領域の磁場分布の空間分解能が第２の領域の磁場分布の空間分解能より粗いことを特徴とするものである。
【００１３】
（４）本発明の他の態様による磁気共鳴診断装置は、上記（１）〜（３）のいずれかに記載した磁気共鳴診断装置において、第２のシム電流セットのチャネル数が第１のシム電流セットのチャネル数より少なく、第３のシム電流セットのうち、第２のシム電流セットに対応するチャネルのシム電流は第２のシム電流セットの値と対応するチャネルの第１のシム電流との和で算出され、第３のシム電流セットの残りのチャネルのシム電流は対応するチャネルの第１のシム電流のみで決定されることを特徴とするものである。
【００１４】
（５）本発明の他の態様による磁気共鳴診断装置は、上記（１）〜（４）のいずれかに記載した磁気共鳴診断装置において、第１のシム電流セットは１次から高次までの磁場分布補正のためのシム電流であり、第２のシム電流セットは１次の磁場分布補正のためのシム電流であることを特徴とするものである。
【００１６】
このような磁気共鳴診断装置によれば、局所領域から磁気共鳴信号を検出し解析する磁気共鳴診断装置において、撮影時間の延長をもたらすことなく高精度の磁場均一性調整をおこなうことが可能となる。
【００１７】
【発明の実施の形態】
以下、図面を参照して本発明による磁気共鳴診断装置の実施形態を説明する。
【００１８】
第１実施形態
図１は本発明の第１実施形態に係る磁気共鳴診断装置の構成を示すブロック図である。図示していないガントリ内に、主磁場（静磁場）を発生するための主磁石１０、直交する３軸ｘ、ｙ、ｚの方向に線形の傾斜磁場分布を持つ傾斜磁場を発生するための３つの傾斜磁場コイルからなる傾斜磁場コイル系１２、主磁石１０が発生する静磁場の不均一性を相殺するための複数のシムコイルからなるシムコイル系１４、及びＲＦコイル１６が設けられる。静磁場発生装置としての主磁石１０は、例えば、超電導コイル、常伝導コイル、または永久磁石を用いて構成される。ＲＦコイル１６は、高周波（ＲＦ）パルスを発生し、かつ磁気共鳴により発生したエコー信号を検出するために使用される。なお、ＲＦパルスの送信とエコー信号の受信は別々の送信コイル、受信コイルによって行ってもよい。
【００１９】
主磁石１０は、主磁石電源１８により駆動される。ＲＦコイル１６は、磁気共鳴の励起時には送信器２４により駆動され、かつエコー信号の検出時には受信器２６に結合される。傾斜磁場コイル系１２は傾斜磁場電源２０（傾斜磁場電流）により駆動され、シムコイル系１４はシムコイル電源２２（シム電流）により駆動される。
【００２０】
傾斜磁場電源２０、シムコイル電源２２、送信器２４はシーケンスコントローラ３２により所定のシーケンスに従って駆動され、ｘ軸傾斜磁場Ｇｘ、ｙ軸傾斜磁場Ｇｙ、ｚ軸傾斜磁場Ｇｚ、高周波（ＲＦ）パルスを、所定のパルスシーケンスで発生する。この場合、ｘ軸傾斜磁場Ｇｘ、ｙ軸傾斜磁場Ｇｙ、ｚ軸傾斜磁場Ｇｚは、主として、例えば、読出し用傾斜磁場Ｇｒ、位相エンコード用傾斜磁場Ｇｅ、スライス用傾斜磁場Ｇｓとしてそれぞれ使用される。コンピュータシステム２８はシーケンスコントローラ３２を駆動制御するとともに、受信器２６で受信されるエコー信号としてのエコー信号を取り込んで所定の信号処理を施すことにより、被検体の磁気共鳴スペクトロスコピー、あるいは磁気共鳴スペクトルスコピックイメージングを再構成し、表示部３０で表示する。
【００２１】
図２は第１実施形態による磁気共鳴スペクトルの収集に先立って磁場不均一性の調整を行うシーケンスコントローラ３２のフロー図である。先ず、磁気共鳴スペクトルを観測すべき局所領域を予め取得された画像から設定する（図３参照）。本実施形態では、局所領域の他に、局所領域を含む第２の領域と、第２の領域をほぼ含む第１の領域を設定する。
【００２２】
ステップＳ１で、第１の領域の磁場分布を測定する。磁場分布の計測は、スピンエコー（ＳＥ）法やフィールドエコー（ＦＥ）法、化学シフトイメージング法を使った公知の計測方法によって実現可能であり、ここでは、図４に示すようなＦＥ法のイメージングシーケンスに従って、再構成された画像の位相情報が磁場不均一性の影響を反映することを利用して磁場の不均一分布を求める。エコー信号Ｅ１とＥ２をそれぞれ再構成し、位相画像の差分をとり、適切な係数を掛けることで磁場分布が得られる。なお、図４は、特定のスライス面における磁場分布を求めるパルスシーケンスを示しているが、マルチスライス手法等の３Ｄ空間における測定も同様の原理に基づいて容易に実現可能である。
【００２３】
ステップＳ２で、このようにして測定された第１の領域の磁場分布をシムコイル系１４によって発生できる磁場成分に展開し、それに基づいて局所領域に対応する磁場不均一性を相殺するのに必要な第１のシム電流セットを算出する。シム電流セットの算出方法は、最小２乗法など一般的に知られたフィット計算で実現される。シムコイルの作る磁場分布がルジャンドル関数などの直交関数状になることが多いので、磁場分布をその直交関数系で展開する（特に球面展開する）ことが一般的である。
【００２４】
ステップＳ３で、第１のシム電流セットをシムコイル電源２２に設定する。
【００２５】
ステップＳ４で、シムコイル電源２２から第１のシム電流セットをシムコイル系１４へ流した状態で、第２の領域の磁場分布を測定する。第２の領域の磁場分布の測定も、ステップＳ１における第１の領域の磁場分布の測定と同様に、再構成画像の位相情報に基づいて磁場分布を求める。しかし、第２の領域の磁場分布の測定の空間分解能は第１の領域の磁場分布の測定の空間分解能よりも高い。
【００２６】
ステップＳ５で、第２の領域の磁場分布の一部を使って第２のシム電流セットを算出する。第２のシム電流セットの算出も、ステップＳ２における第１のシム電流セットの算出と同様に、直交関数展開を利用する。
【００２７】
ステップＳ６で、第１のシム電流セットと第２のシム電流セットとの和により第３のシム電流セットを算出する。
【００２８】
ステップＳ７で、第３のシム電流セットをシムコイル電源２２に設定する。この第３のシム電流セットにより、局所領域の磁場均一性が向上される。このように静磁場の不均一性が補正された後、磁気共鳴スペクトルの収集が開始される。
【００２９】
ステップＳ１からステップＳ７は連続して実施することも可能であるし、途中にＭＲイメージング動作を追加することもできる。
【００３０】
本実施形態では、ステップＳ４における第２の領域の磁場分布の計測の空間分解能をステップＳ１における第１の領域の磁場分布の計測の空間分解能より高めているので、局所領域の磁場均一性を向上させることができる。この効果は、第１のシム電流セットの項数（チャネル数）と第２のシム電流セットの項数が等しくても達成される。従来は、第２の領域だけ高空間分解能で磁場分布を計測しているが、実際には、その周囲の第１の領域の磁場分布も必要であり、この点で従来は高精度に不均一性を補正することができず、均一性の程度が低かった。しかし、本実施形態によれば、第１の領域の磁場分布の計測に加えて狭い第２の領域の磁場分布の高空間分解能の計測を行い、それぞれの計測結果からフィット演算により２次、１次までの不均一を相殺する第１、第２のシム電流セットを求め、それらを加算することにより最終的なシム電流セットを求めているので、第1のシム電流セットにより補正した上で第2の領域の分布を求めることになり、不均一性の計測精度が向上する。さらに、局所領域での磁場データ数が増えているので、フィットの精度が向上する。そのため、局所領域の磁場均一性を向上させることができる。
【００３１】
発明者の検討では、１次のシムコイル（３チャンネル）が装備された磁気共鳴診断装置において、第１実施形態の構成により、人体頭部のスペクトル半値幅が調整前の１．４７ｐｐｍから０．３０ｐｐｍに改善された。これは、生体による２次以上の磁場不均一性があるために、シム電流を算出する元となる磁場分布計測領域が広ければ広いほど、１次だけの展開では誤差を有するからである。このことを裏付けるように、２次のシムコイル（５チャンネル）までを有する磁気共鳴診断装置では、人体頭部のスペクトル半値幅が０．１８ｐｐｍ程度までさらに改善することが確かめられた。
【００３２】
本実施形態での調整時間を述べると、ステップＳ１の第１の領域の磁場分布計測ステップにおいて約２０秒、ステップＳ４の第２の領域の磁場分布計測ステップにおいて１分、およびこれらの撮影条件（スライス厚、マトリックス数など）を設定するのに約２０秒、計１分４０秒かかった。従来技術で述べたＳＴＥ法により信号減衰をモニターする方法では約３分程度の調整時間が必要である。これからも本実施形態による時間短縮の効果は大きいことが分かる。
【００３３】
以上説明したように、第１実施形態によれば、スペクトルを計測したい局所領域を含む第２の領域と、第２の領域を含む第１の領域の磁場分布を空間分解能を変えて（第２の領域の空間分解能を高くする）計測し、それぞれ１次と２次の関数展開をしてシム電流セットを求めているので、局所領域の磁場均一性を向上させることができる。
【００３４】
以下、本発明による磁気共鳴診断装置の他の実施形態を説明する。他の実施形態の説明において第１実施形態と同一部分は同一参照数字を付してその詳細な説明は省略する。
【００３５】
第２実施形態
第２実施形態は第１実施形態の改良に関する。第１実施形態では、第１のシム電流セット（２次の不均一性を補正）と第２のシム電流セット（１次の不均一性を補正）のチャネル数が等しいとしたが、第２実施形態では、第２のシム電流セットのチャネル数が第１のシム電流セットのチャネル数より少ないことが特徴である。全体の構成、動作は図１、図２に示した第１実施形態の場合と同様であるが、図２のステップＳ６の第３のシム電流セットの算出のみが異なっている。図５に示すように、第１のシム電流セットはＡ、Ｂ、Ｃの３チャネルあり、第２のシム電流セットはＡ、Ｂの２チャネルのみであるとする。第３のシム電流セット（３チャネル）は第１、第２のシム電流セットに共通の２チャネル（チャネルＡ、チャネルＢ）については第１実施形態と同様に第１、第２のシム電流セットの和であるが、第１のシム電流セットにしかない１チャネル（チャネルＣ）については、第１のシム電流セットのチャネルＣの電流値がそのまま設定される。
【００３６】
局所領域の磁場不均一性は１次成分が主体的であるので、第２実施形態では、人体頭部の場合には次のような調整を行えば良いことが判明した。シムコイルが１次分布３チャンネルと２次分布５チャンネルで構成される場合を考える。図２のステップＳ１において、頭部を広くカバーするように第１の領域の磁場分布を測定し、ステップＳ２において、２次の球面展開を行って第１のシム電流セット（１次および２次分布８チャンネル分）を算出する。ステップＳ３で、この値をシムコイル電源２２に設定する。ステップＳ４で、局所の関心領域を含み、かつステップＳ１で計測した第１の領域よりも狭い第２の領域でステップＳ１の計測より空間分解能の高い磁場計測を行う。ここで得られた磁場分布のうち局所の関心領域とほぼ同程度の領域の磁場分布を用いて（ほぼ同程度と言う意味は、データが離散的であるので、局所領域と正確に同じ領域のデータが無い場合もあるからである）、ステップＳ５で、１次の球面展開をおこなって第２のシム電流セット（１次分布３チャンネル分）を算出する。第３のシム電流セットの１次分布３チャンネルは、第１のシム電流セットの１次分布３チャンネルと第２のシム電流セット（１次分布３チャンネル分）との和で算出する。また、第３のシム電流セットの２次分布５チャンネルは、第１のシム電流セットの２次５チャンネル分と等しい値にする。
【００３７】
人体頭部における実例を紹介する。ステップＳ２およびステップＳ３の調整によりステップＳ４で得られた磁場分布を図６に示す。不均一性の程度は小さくなったが、依然として無視できない磁場不均一性は生じている。ここで図６の領域Ａに注目すると、残っている不均一性が領域Ａではほぼ線形であるということである。そこで、ステップＳ５においては１次３チャンネル分だけの球面展開を行えばよいことの妥当性が示されている。図７は、ステップＳ７で得られた第３のシム電流セットにより実現される磁場分布であり、領域Ａでほぼ水平（＝均一）になっている。発明者の実験結果では、第１実施形態で実験した同じ局所領域において、本実施形態により０．１４ｐｐｍのスペクトル線幅（第１実施形態では０．１８ｐｐｍ）が実現され、磁気共鳴スペクトルを高精度に計測できるレベルまでの磁場均一性が向上された。
【００３８】
第３実施形態
第３実施形態は、第１実施形態と第２実施形態の両方の変形に関するものであり、第１実施形態に基づいた処理の流れを図８に示す。
【００３９】
ステップＳ１１で、広い領域である第１の領域の磁場分布を低空間分解能で測定する。
【００４０】
ステップＳ１２で、第１の領域の磁場分布から２次までの第１のシム電流セットを算出する。
【００４１】
ステップＳ１３で、第１のシム電流セットをシムコイル電源２２に設定する。
【００４２】
ステップＳ１４で、第１のシム電流セットを用いて狭い領域である第２の領域の磁場分布を高空間分解能で測定する。
【００４３】
ステップＳ１５で、ステップＳ１４で得られた第２の領域の磁場分布を記憶する。
【００４４】
ステップＳ１６で、ＭＲスペクトルデータの収集のための位置決めを開始する。ステップＳ１７で、スペクトルデータを収集する局所領域を指定する。ステップＳ１８で、該局所領域が第２の領域に含まれているか否か判定する。該局所領域が第２の領域に含まれている場合、ステップＳ１５で記憶した第２の領域の磁場分布の一部を使って、ステップＳ１９で第２のシム電流セットを算出する。ステップＳ２０で、第１のシム電流セットと第２のシム電流セットから第３のシム電流セットを算出する。ステップＳ２１で、第３のシム電流セットをシムコイル電源２２に設定する。ステップＳ２２で局所領域のＭＲスペクトルの収集を開始する。なお、ステップＳ１８で、該局所領域が第２の領域に含まれていない場合、ステップＳ２３で警告を発し、第２の領域を設定し直して再度調整動作（ステップＳ１１〜）を行う。あるいは、局所領域を設定し直してステップＳ１８の判定を繰り返す。
【００４５】
このようにすると、ステップＳ１７で指定する局所領域が第２の領域に含まれている限り、その場所に応じた最適なシム電流値を算出することができる。この処理は単なる数値計算処理であり、計算時間は無視できるぐらい短いものである。したがって、スペクトルを計測したい局所領域が多いほど、撮影のトータルの時間における磁場均一性調整の処理が占める割合は、大幅に減少させることができる。
【００４６】
なお、ステップＳ１７で指定する局所領域のサイズは第１実施形態の局所領域とほぼ同じであることが望ましい。これは、指定する局所領域が非常に小さいと、磁場分布の信号対雑音比が低く、関数フィッティング演算が不可能な場合もあるからである。そこで、ステップＳ１８では局所領域が小さすぎる場合や、磁場データの信号対雑音比が低い場合も判定し、「データが足りません」等の警告メッセージを出すことも好ましい。あるいは、警告を出す代わりに自動的にデータ量を増やしてもよい。すなわち、ステップＳ１９で用いるデータ領域として、局所領域を所定の量だけ拡大した範囲にすることが考えられる。この拡大処理を実行する条件としては、データ点数が必要な数に達しているか否か、あるいは展開の際に十分な精度のシム電流が得られるか否か等の観点から判断される。
【００４７】
さらに、磁場分布の信号対雑音比が悪い場合には、磁場分布の平滑化処理を行ってもよい。これにより、シム電流の決定精度を向上することができる。
【００４８】
また、第３実施形態は図８に示すフローに限らず、第２のシム電流セットのチャネル数が第１のシム電流セットのチャネル数より少ない第２実施形態に基づいてもよい。
【００４９】
本発明は上述した実施形態に限定されず、種々変形して実施可能である。例えば、上述の説明はＭＲスペクトル計測について行ったが、本発明はＭＲイメージングにおいても、同様に実施可能である。また、第１のシム電流セットは２次の磁場不均一性までの補正を行うとしたが、３次以上の高次の不均一性まで補正してもよい。さらに、その場合、第１、第２の領域以外の領域を設定してもよい。例えば、第２の領域より小さく、局所領域を含む第３の領域を設定し、第１、第２の領域ではそれぞれ３次、２次までのシム電流セットを求め、第３の領域で１次までのシム電流セットを求めてもよい。
【００５０】
【発明の効果】
以上述べたように、本発明により、局所領域から磁気共鳴信号を検出し解析する磁気共鳴診断装置において、撮影時間の延長をもたらすことなく高精度の磁場均一性調整をおこなうことが可能となる。
【図面の簡単な説明】
【図１】本発明による磁気共鳴診断装置の第１実施形態の構成を示すブロック図。
【図２】本発明による磁気共鳴診断装置の第１実施形態の磁場均一性調整動作を示すフローチャート。
【図３】本発明における局所領域、第１、第２の領域の設定例を示す概略図。
【図４】磁場計測のためのＦＥ法のパルスシーケンスを示す図。
【図５】本発明の第２実施形態における第３のシム電流セットの算出を示す概略図。
【図６】第２実施形態により調整を行う前の磁場不均一性を示す図。
【図７】第２実施形態による調整後の磁場不均一性を示す図。
【図８】本発明の第３実施形態の磁場均一性調整動作を示すフローチャート。
【符号の説明】
１０…主磁石
１２…傾斜磁場コイル系
１４…シムコイル系
１６…ＲＦコイル
１８…主磁石電源
２０…傾斜磁場電源
２２…シムコイル電源
２４…送信器
２６…受信器
３２…シーケンスコントローラ
【図１】
0004528389.tif 000002
【図２】
0004528389.tif 000003
【図３】
0004528389.tif 000004
【図４】
0004528389.tif 000005
【図５】
0004528389.tif 000006
【図６】
0004528389.tif 000007
【図７】
0004528389.tif 000008
【図８】
0004528389.tif 000009